(57)【要約】【課題】屋内の換気量を安定して確保することができ、屋内に雨水が浸入したり建物に被害や損傷を及ぼすことのない外気取込口を備えた建築物の換気システムを提供すること。【解決手段】外壁１に設けた外気取込口１５から屋内に外気を導入し、屋内の空気を外壁に設けた排気口から排気して換気する建築物の換気システムにおいて、外気取込口１５を、断熱材４の屋外側に通気層１１を有する外壁１に、屋内側から通気層１１に達する開口部１２を設け、この開口部１２内に開口部１２とほぼ等しい長さのスリーブ１６を装着して通気層１１と連通した。【選択図】図１
0003118178.tif 000002
【実用新案登録請求の範囲】
【請求項１】
外壁に設けた外気取込口から屋内に外気を導入し、屋内の空気を外壁に設けた排気口から排出して換気する建築物の換気システムにおいて、
前記外気取込口を、断熱材の屋外側に通気層を有する外壁に、屋内側から前記通気層に達する開口部を設け、該開口部内に該開口部とほぼ等しい長さのスリーブを装着して前記通気層と連通したことを特徴とする建築物の換気システム。
【請求項２】
前記外気取込口のスリーブの通気層側に防虫網を取付けたことを特徴とする請求項１記載の建築物の換気システム。
【請求項３】
前記外気取込口のスリーブの屋内側に自然給気ユニット、給気用換気扇又は熱交換式換気扇のいずれか取付けたことを特徴とする請求項１又は２記載の建築物の換気システム。
【考案の詳細な説明】
【技術分野】
【０００１】
本考案は、建築物の屋内に外気を導入すると共に屋内の空気を排気して換気する建築物の換気システムに関するものである。
【背景技術】
【０００２】
住居である建築物においては、一般に、例えば図３に示すように、一方の側の外壁１に設けた外気取込口１５から屋内に外気を導入すると共に、換気扇３０により他方の外壁１ａに設けた排気口３１から屋内の空気を排気して換気している。
【０００３】
外壁１に設けた従来の外気取込口１５ａを図２に示す。
図２は建築物の外壁１の平断面図で、柱２ａ，２ｂと間柱３との間には断熱材４が設けられている。そして、断熱材４の屋内側には石膏ボード及び気密シート５を介して仕上材６が設けられており、屋外側には、構造用合板及び防風透湿シート７、所定の間隔で設けられた縦棧８、防水紙、ラス網及びラス下地材９、モルタル下地材及び外壁仕上１０が順次設けられている。１１は構造用合板及び防風透湿シート７（以下、両者を合わせて防風透湿シートという）とラス下地材等９との間に形成されて外気が流通する通気層、１２ａは外壁１を貫通して設けられた円筒状の開口部である。
【０００４】
１５ａは外気取込口で、外壁１に設けた開口部１２ａには円筒状のスリーブ１６ａが挿入されて固定され、その屋内側には自然給気ユニット１７が装着されており、屋外側には外壁１の屋外壁面から突出して下から外気が流入する外部フード１８が装着されている。そして、外部フード１８と外壁１との間には、外部フード１８を水密に保持するために、シール部材１９が設けられている。
【０００５】
上記のように構成した外気取込口１５ａを有する換気システムにおいては、矢印で示すように、外部フード１８の下から流入した外気は、スリーブ１６ａを経て自然給気ユニット１７から屋内に流入する。一方、屋内の空気は換気扇３０により排気口３１から外部へ排出され、屋内の空気が換気される（なお、本考案に関係のある先行技術文献情報は発見できなかった）。
【考案の開示】
【考案が解決しようとする課題】
【０００６】
上記のような従来の建築物の換気システムの外気取込口１５ａにおいては、外部フード１８に直接風圧がかかるため、屋内に流入する風量に大きく影響し、換気不足や過換気を引き起こすことがある。
また、風雨の方向によっては、外部フード１８からスリーブ１６ａ、自然給気ユニット１７を経て屋内に雨水が侵入することがあるため、屋内に被害を及ぼすことがあり、さらに、雨垂れなどにより、外部フード１８の下の外壁１にシミや汚れが生じ易い。
【０００７】
このように、従来の外気取込口１５ａにおいては、本来計画している換気量の安定確保が困難であり、排気量の不足による屋内空気の汚染や、過換気による熱損失の増大などを引き起こすおそれがあった。また、外気取込口１５ａを構成する開口部１２ａが外壁１を貫通しているため、建築物に対して被害や損傷を与えるなどの問題があった。
【０００８】
本考案は、上記の課題を解決するためになされたもので、屋内の換気量を安定して確保することができ、屋内に雨水が浸入したり建築物に被害や損傷を及ぼすことのない外気取込口を備えた建築物の換気システムを提供することを目的としたものである。
【課題を解決するための手段】
【０００９】
本考案は、外壁に設けた外気取込口から屋内に外気を導入し、屋内の空気を外壁に設けた排気口から排気して換気する建築物の換気システムにおいて、前記外気取込口を、断熱材の屋外側に通気層を有する外壁に、屋内側から前記通気層に達する開口部を設け、該開口部内に該開口部とほぼ等しい長さのスリーブを装着して前記通気層と連通したものである。
【００１０】
また、上記外気取込口のスリーブの通気層側に防虫網を取付けたものである。
さらに、上記の外気取込口のスリーブの屋内側に自然給気ユニット、給気用換気扇又は熱交換式換気扇のいずれか取付けたものである。
【考案の効果】
【００１１】
本考案に係る換気システムによれば、外気取込口を外壁内に設けた通気層と連通させて外気を取込むようにしたので、換気量を安定して確保することができ、屋内に雨水が浸入したり、建築物に被害や損傷を与えることがない。
【考案を実施するための最良の形態】
【００１２】
図１は本考案の一実施の形態に係る建築物の換気システムの要部をなす外気取込口及びその周辺の断面図である。なお、図２の従来技術と同じ部分にはこれと同じ符号を付し、説明の一部を省略する。
１２は外壁１の屋内側から防風透湿シート７までの間に設けられ、通気層１１に開口する円筒状の開口部である。
【００１３】
１５は開口部１２の長さとほぼ等しい長さで、その外径が開口部１２の内径とほぼ等しい例えば塩化ビニル製のパイプからなるスリーブで、開口部１２内に挿入して固定され、その屋内側の端部は外壁１の屋内側壁面とほぼ同一平面上に、また、屋外側の端部は防風透湿シート７の屋内側面とほぼ同一平面上に位置して通気層１１と連通しており、屋外側の端部（通気層１１側）には防虫網２１が取付けられ、屋内側には自然給気ユニット１７が装着されている。
【００１４】
上記のように構成した外気取込口１５によれば、外気に連通する通気層１１からの空気が、矢印で示すように、防虫網２１を介してスリーブ１６に流入し、自然給気ユニット１７から屋内に導入される。一方、屋内の空気は換気扇３０により排気口３１から屋外に排出されて、屋内の空気を換気する。
【００１５】
上記の説明では、図示の外壁１に設けた通気層１１から屋内に外気を取り込む場合を示したが、本考案はこれに限定するものではなく、通気層を有する他の構造の外壁においても、本考案に係る外気取込口１５により、通気層内の外気を屋内に取り込むことができる。
また、外気取込口１５の屋内側に自然給気ユニット１７を装着した場合を示したが、これに代えて、給気用換気扇又は熱交換式換気扇を装着してもよい。
【００１６】
本考案によれば、外壁１に設けて外気取込口１５を構成する開口部１２は、外壁１の屋内側から通気層１１までの間を開口し、外壁１を貫通しないので、下地材等９や外壁仕上材等１０を損傷することがなく、このため建築物が損傷したり気密性や水密性を損うことがない。また、外部フードを必要としないので、屋内に雨水が浸入するおそれがなく、その上コストを低減でき、外壁１の見映えもよい。
【００１７】
さらに、外気と連通する通気層１１の空気を取り込むようにしたので、計画通りの換気量を安定して確保することができ、換気に必要なシステム全体の性能を向上することができる。
【図面の簡単な説明】
【００１８】
【図１】本考案の一実施の形態に係る建築物の換気システムの要部をなす外気取込口及びその近傍の縦断面図である。
【図２】従来の建築物の外気取込口及びその近傍の縦断面図である。
【図３】建築物の換気システムの一例の説明図である。
【符号の説明】
【００１９】
１  外壁、４  断熱材、７  防風透湿シート、１１  通気層、１２  開口部、１５  外気取込口、１６  スリーブ、１７  自然給気ユニット、２１  防虫網。
【図１】
0003118178.tif 000003
【図２】
0003118178.tif 000004
【図３】
0003118178.tif 000005